(57)【要約】【課題】  カタログ等の提供にあって被紹介者の了承を比較的容易に得る。【解決手段】  第１の葉書部１と、第２の葉書部２と、第３の葉書部３とを順次重ねるようにして一体的に設ける。そして第１の最上段８にカタログ等の提供者の宛先表示部12を、第１の上段９に第１の上段窓孔13を、第１の最下段11に第1の最下段窓孔16を設ける。さらに、第２の上段21に第２の上段窓孔25を、前記第２の下段22に前記提供者の発信元表示部26を、前記第２の最下段23に第２の最下段窓孔27を設ける。また、第３の最上段30に提供者の宛先表示部34を、第３の上段31に被紹介者記入用空欄部35を設け、第３の最下段33に紹介者記入用空欄部37を設ける。被紹介者用記入欄35に対向して前記第２の上段窓孔25及び前記第１の上段窓孔13を設け、前記紹介者用記入欄37に対向して前記第２の最下段窓孔27及び前記第１の最下段窓孔16を設ける。【選択図】図１
2007001152.tif 000002
【特許請求の範囲】
【請求項１】
第１の葉書部と、第２の葉書部と、第３の葉書部とを順次重ねるようにして一体的に、かつ順次剥がして次の葉書面を露出できるように設け、
前記第１の葉書部の表面の第１の最上段、第１の上段、第１の下段及び第１の最下段のうち前記第１の最上段にカタログ、商品、サービス等の提供者の宛先表示部を、前記第１の上段に第１の上段窓孔を、前記第１の最下段に第1の最下段窓孔を設け、
前記第２の葉書部の表面の第２の最上段、第２の上段、第２の下段及び第２の最下段のうち前記第２の上段に第２の上段窓孔を、前記第２の下段に前記提供者の発信元表示部を、前記第２の最下段に第２の最下段窓孔を設け、
前記第３の葉書部の表面の第３の最上段、第３の上段、第３の下段及び第３の最下段のうち前記第３の最上段に提供者の宛先表示部を、前記第３の上段に被紹介者記入用空欄部を設け、前記第３の最下段に紹介者記入用空欄部を設け、
前記被紹介者記入用空欄部に対向して前記第２の上段窓孔及び前記第１の上段窓孔を設け、前記紹介者記入用空欄部に対向して前記第２の最下段窓孔及び前記第１の最下段窓孔を設けたことを特徴とする葉書。
【請求項２】
前記被紹介者記入用空欄部または前記紹介者記入用空欄部若しくは前記第３の葉書部の裏面に、番号若しくは記号等の固有識別部を設けたことを特徴とする請求項１記載の葉書。
【請求項３】
第１の葉書部と、第２の葉書部と、第３の葉書部とを順次重ねるようにして一体的に、かつ順次剥がして次の葉書面を露出できるように設け、
前記第１の葉書部の表面の上部にカタログ、商品、サービス等の提供者の宛先表示部を、下部に第１の窓孔を設け、
前記第２の葉書部の下部に第２の窓孔を設け、
前記第３の葉書部の表面の上部に提供者の宛先表示部を、下部に被紹介者記入用空欄部を設けると共に、裏面に紹介者記入用空欄部を設け、
前記被紹介者記入用空欄部に対向して前記第１の窓孔及び前記第２の窓孔を設けたことを特徴とする葉書。
【請求項４】
前記被紹介者記入用空欄部または前記紹介者記入用空欄部若しくは前記第３の葉書部の裏面に、番号若しくは記号等の固有識別部を設けたことを特徴とする請求項３記載の葉書。
【発明の詳細な説明】
【技術分野】
【０００１】
本発明は、カタログ、商品、サービス等の提供者が紹介者を通して友人や知人をさらに紹介してもらい、その被紹介者にカタログ、商品、サービス等の提供を行なうことができる往復葉書の機能を有する葉書に関するものである。
【背景技術】
【０００２】
従来、各種商品の提供者におけるカタログの配布方法として、カタログが配布された人から、その友人や親戚等の知り合い（被紹介者）を紹介してもらい、その知り合いの人にさらにカタログを配布する方法が行なわれている。
【０００３】
ところで、近年において、個人情報、例えば個人に属する氏名、住所等の情報は、本人の承諾なく第三者に対し情報を開示することができない。
【０００４】
したがって、従来のように友人や親戚等の知り合いを紹介するにあたっては、紹介される本人の承諾の上、販売会社はカタログを配布しなければならない。
【０００５】
しかしながら、このような場合には、まず紹介者が被紹介者に承諾をもらった後に、葉書をカタログ等の提供者に郵送するようになるので、いちいち紹介者自身が被紹介者から承諾をもらうという煩雑な手間がかかり、また、被紹介者の承諾を書面でカタログ等の提供者に残すのにさらに手間がかかり、カタログ等の提供者は、結局紹介者より新たな紹介を得ることができなくなるおそれがある。
【０００６】
このような紹介者自身がいちいち被紹介者から直接承諾をもらう手間をなくす手段として郵便葉書や郵便封書等を利用することが考えられる。例えば紹介者から被紹介者に承諾確認のための葉書を送り、さらに被紹介者は紹介者からの紹介に伴う承諾した旨の葉書を販売会社へ郵送してカタログを配布してもらうことが考えられる。
【０００７】
そして、従来の例えば情報の秘匿に優れた往復葉書として、往信用葉書と返信用葉書が１枚に連なり、往信用葉書部の宛名面に、前記往信用葉書部の宛名面とそれに隣接する返信用葉書部の片面が互いに接着可能で、且つ、接着後に剥離した場合には再接着を困難にする擬似接着剤層が備えられ、前記擬似接着剤層には剥離紙が貼られているもの（例えば特許文献１）や、下紙片と前記下紙片より狭巾の上紙片とを折り重ねて剥離可能に接着されてなり、前記上紙片の表面に往信用郵便番号及び往信宛名が表示され、前記下紙片の表面の前記上紙片の側端から延出する領域に往信用の郵便葉書の表示が施され、前記下紙片の裏面に返信用の郵便葉書の表示、返信用郵便番号及び返信宛名が表示され、前記下紙片の裏面の返信用の郵便葉書の表示、返信用郵便番号及び返信宛名を被覆するように隠蔽シールが剥離可能に貼着された構成からなるもの（例えば特許文献２）が知られている。
【特許文献１】特開２００３−１１８２６９号公報
【特許文献２】特開平１１−１２９６５４号公報
【発明の開示】
【発明が解決しようとする課題】
【０００８】
しかしながら、従来のような葉書では、紹介者、被紹介者、カタログ等の提供者という葉書の流れになるので、カタログ等の提供者が予め購入して紹介者に送付した往復葉書を使わない限り紹介者は葉書の郵送料を自ら負担若しくは立替えなくてはならない欠点があり、とはいえ往復葉書を紹介行為が不確定の既存顧客へ大量に配布することは多大な出費とロスが発生する。さらにこの往復葉書の場合は、カタログ等の提供者は到着した葉書の情報しか知ることができず、この結果紹介者から被紹介者へ送られたものの、カタログ等の提供者へ送られなかった葉書の数や時期等を把握できず、また、紹介者が被紹介者を経ずして、返信葉書に直接記入して提供者に返信するのをチェックできず、営業活動を正確に把握できないという問題があった。
【０００９】
解決しようとする問題点は、カタログ等の提供者において紹介者から被紹介者の紹介にあたって、カタログ、商品、サービス等の提供にあって被紹介者の了承を比較的容易に得るだけではなく、紹介者の郵送料負担を回避すると共に、被紹介者の了承を得られなかった情報等も把握することを含め、被紹介者の承認を確実に提供者の手許に葉書として残すことのできる葉書を提供する点である。
【課題を解決するための手段】
【００１０】
請求項１の発明は、第１の葉書部と、第２の葉書部と、第３の葉書部とを順次重ねるようにして一体的に、かつ順次剥がして次の葉書面を露出できるように設け、
前記第１の葉書部の表面の第１の最上段、第１の上段、第１の下段及び第１の最下段のうち前記第１の最上段にカタログ、商品、サービス等の提供者の宛先表示部を、前記第１の上段に第１の上段窓孔を、前記第１の最下段に第1の最下段窓孔を設け、
前記第２の葉書部の表面の第２の最上段、第２の上段、第２の下段及び第２の最下段のうち前記第２の上段に第２の上段窓孔を、前記第２の下段に前記提供者の発信元表示部を、前記第２の最下段に第２の最下段窓孔を設け、
前記第３の葉書部の表面の第３の最上段、第３の上段、第３の下段及び第３の最下段のうち前記第３の最上段に提供者の宛先表示部を、前記第３の上段に被紹介者記入用空欄部を設け、前記第３の最下段に紹介者記入用空欄部を設け、
前記被紹介者記入用空欄部に対向して前記第２の上段窓孔及び前記第１の上段窓孔を設け、前記紹介者記入用空欄部に対向して前記第２の最下段窓孔及び前記第１の最下段窓孔を設けたことを特徴とする葉書である。
【００１１】
請求項２の発明は、前記被紹介者記入用空欄部または前記紹介者記入用空欄部若しくは前記第３の葉書部の裏面に、番号若しくは記号等の固有識別部を設けたことを特徴とする請求項１記載の葉書である。
【００１２】
請求項３の発明は、第１の葉書部と、第２の葉書部と、第３の葉書部とを順次重ねるようにして一体的に、かつ順次剥がして次の葉書面を露出できるように設け、
前記第１の葉書部の表面の上部にカタログ、商品、サービス等の提供者の宛先表示部を、下部に第１の窓孔を設け、
前記第２の葉書部の下部に第２の窓孔を設け、
前記第３の葉書部の表面の上部に提供者の宛先表示部を、下部に被紹介者記入用空欄部を設けると共に、裏面に紹介者記入用空欄部を設け、
前記被紹介者記入用空欄部に対向して前記第１の窓孔及び前記第２の窓孔を設けたことを特徴とする葉書である。
【００１３】
請求項４の発明は、前記被紹介者記入用空欄部または前記紹介者記入用空欄部若しくは前記第３の葉書部の裏面に、番号若しくは記号等の固有識別部を設けたことを特徴とする請求項３記載の葉書である。
【発明の効果】
【００１４】
請求項１、３の発明によれば、紹介を提供する紹介者が一度書き込むと、途中に宛先などを書込まなくとも表紙を取り除いてそのまま投函することで、紹介者の筆跡を残したまま、カタログ等の提供者の手許に書面の形で被紹介者の承認を届けることができる。結果、カタログ等の提供者は安心して被紹介者の了承を確認してカタログ等の送付を行うことができると共に、やり取りの途中に、葉書は一度カタログ等の提供者へ料金受取人払いで郵送されるので、葉書の総数や期間等を把握することができると共に、紹介者の郵送料負担を回避でき、紹介を促す効果があると共に、カタログ等提供者には紹介者からの返信の段階では、被紹介者の個人情報は通過するだけで残らないので、最終的にカタログ等の送付を了承した被紹介者のみ個人情報管理を行えばよいことになり合理的である。
【００１５】
請求項２、４の発明によれば、一度カタログ等の提供者の許へ郵送されたとき、提供者が被紹介者記入欄若しくは紹介者記入欄若しくは前記第３の葉書部の裏面に、番号若しくは記号等の識別部を管理しておくことによって、紹介者が第１、２の葉書を取り除いて、被紹介者を経ずしてカタログ等の提供者に返信するのをチェックすることができる。
【発明を実施するための最良の形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
図１〜図４は実施例１を示しており、縦長な郵便葉書は、平面が通常葉書大の往信用の第１の葉書部１と、一番目の返信用の第２の葉書部２と、二番目の返信用の第３の葉書部３とを一体的に設けたものである。実施例では第１の葉書部１と第２の葉書部２を重ね合せて両者間に第１の擬似接着剤層４が設けられる。この第１の擬似接着剤層４は、接着後に剥離した場合には再接着を困難にするものである。同様に第２の葉書部２と第３の葉書部３を重ね合せて両者間に第２の擬似接着剤層５が設けられる。
【００１８】
前記第１の葉書部１の表面の上端には、「（料金）受取人払」をあらわした第１の切手貼り対応部６と「郵便はがき」とあらわされた第１の郵便葉書表示部７を設けている。尚、第１の切手貼り対応部６には「受取人払」の郵便契約の表示がなされ、その負担が差し出し人（発信者）でなく、カタログ、商品、サービス等の提供者になるように表示されている。
【００１９】
さらに表面の上端から下方にかけて第１の最上段８、第１の上段９、第１の下段10及び第１の最下段11のうち第１の最上段８にはカタログ等の提供者の宛先、会社名「Ａ市Ａ町株式会社Ｘ行」（提供者）をあらわした宛先表示部12を設け、第１の上段９には長方形の第１の上段窓孔13を形成すると共に、その周囲に「被紹介者」とあらわした被紹介者表示部14を設けている。第１の下段10には、「上記の方（被紹介者）をご紹介します。ご本人（被紹介者）の了承のもとに株式会社Ｘのカタログをお送り下さい。」とあらわしたカタログ、商品或いはサービスなどの提供依頼表示部15を設けている。第１の最下段11には長方形の第1の最下段窓孔16を形成すると共に、その周囲に「紹介者」とあらわした紹介者表示部17を設けている。尚、第１の上段９、第１の下段10及び第１の最下段11の全高さは第１の葉書部１の高さの半分以下とすることが望ましい。
【００２０】
尚、前記上端から下方にかけての第１の最上段８、第１の上段９、第１の下段10及び第１の最下段11は，これら４者間での相対位置関係を示しており、例えば第１の最上段８と第１の上段との間に株式会社Ｘの宣伝文（図示せず）があるような場合でも、第１の上段９は、第１の最上段８、第１の下段10及び第１の最下段11との相対関係で２番目に配置されており、第１の下段10は３番目に相対的に配置されることとなる。後述する他の最上段、上段、下段及び最下段も同様である。
【００２１】
前記第２の葉書部２の表面の上端には、「料金別納」をあらわした第２の切手貼り対応部18と「郵便はがき」とあらわされた第２の郵便はがき表示部19を設けている。この第２の切手貼り対応部18においては、第２の郵便はがき２があらわれて郵便局に集められたときに料金を別納契約に基いて支払う「料金別納」扱いとするか、或いは予め所定の切手が貼られているなど第２の郵便はがき２の差し出し人（発信者）が郵便料を負担をし、受取人が負担しないように表示されている。
【００２２】
さらに表面の上端から下方にかけて第２の最上段20、第２の上段21、第２の下段22及び第２の最下段23のうち第２の最上段20には空欄24を設け、第２の上段21には長方形の第２の上段窓孔25を形成している。第２の下段22には、「下記の方のご紹介でお送りしました。（発信者）Ａ市Ａ町株式会社Ｘ」とあらわした前記提供者の発信元表示部26を設けている。第２の最下段22には長方形の第２の最下段窓孔27を形成している。
【００２３】
前記第３の葉書部３の表面の上端には、料金受取人払いの契約に基く「受取人払」をあらわした第３の切手貼り対応部28と「郵便はがき」とあらわされた第３の郵便はがき表示部29を設けている。第３の切手貼り対応部28には「受取人払」と表示され発信者に郵送料の負担がなく、その負担が提供者になるように表示されている。
【００２４】
さらに表面の上端から下方にかけて第３の最上段30、第３の上段31、第３の下段32及び第３の最下段33のうち第３の最上段30には、「Ａ市Ａ町株式会社Ｘ行」をあらわした提供者の宛先表示部34を設け、第３の上段31には長方形をなした被紹介者の住所、氏名を書き込み可能な被紹介者記入用空欄部35を設けている。この被紹介者記入用空欄部35の周囲には「（発信者）」の表示部を有する。第３の下段32には、「私は下記の紹介者の紹介を了承し、株式会社Ｘのカタログの受領を希望します。」との被紹介者の了承表示部36を設けている。さらに第３の最下段33には長方形の紹介者の住所、氏名を書き込み可能な紹介者記入用空欄部37を設けている。この紹介者記入用空欄部37の周囲には「紹介者」の表示部を有する。
【００２５】
そして、被紹介者記入用空欄部35に対向して第２の葉書部２の第２の上段窓孔25、さらに第１の葉書部１の第１の上段窓孔13が対向して配置されている。このため被紹介者記入用空欄部35は、第２の上段窓孔25、さらには第１の上段窓孔13を通して第１の葉書部１表面側より読み取ることができるようになっている。同様に、紹介者記入用空欄部37に対向して第２の葉書部２の第２の最下段窓孔27、さらに第１の葉書部１の第１の最下段11が対向して配置されている。このため紹介者記入用空欄部37は、第２の最下段窓孔27、さらには第1の最下段窓孔16を通して第１の葉書部１の表面側より読み取ることができるようになっている。
【００２６】
さらに、第２の葉書部２の裏面の最上段には株式会社Ｘから被紹介者へカタログなどを送って提供する旨の了解（許可）依頼文表示部38が設けられている。また、第３の葉書部３の裏面の最上段側には「ご紹介者から被紹介者へのメッセージ」や「紹介者から株式会社Ｘへのメッセージ」等のメッセーシ゛通信欄部39が設けられ、第３の葉書部３の裏面の下段、最下段側には第１の葉書部１、第２の葉書部２、第３の葉書部３に関する使用方法表示部40が設けられている。
【００２７】
さらに、被紹介者記入用空欄部35または紹介者記入用空欄部37には、番号若しくは記号等の第３の葉書部３に対応した固有識別部41を設ける。この固有識別部41は実施例では被紹介者記入用空欄部35に設けられている。この固有識別部41は第３の葉書部３の個有識別を行うのみならず、第３の葉書部３と一体的な第１の葉書部１、第２の葉書部２にも対応している。
【００２８】
次に前記構成についてその作用を説明する。当初葉書は図１，３，４に示すように印刷によって設けられている。
【００２９】
そしてこの第１、２、３の葉書部１、２，３を一体とした葉書を受け取った紹介者は、図２に示すように住所、氏名を、第1の最下段窓孔16、第２の最下段窓孔27を通して紹介者記入用空欄部37に記入する。この記入された紹介者記入用空欄部37は第１の葉書部１の表面側より読み取ることができるようになっている。記入にかえシールや印刷でもよい。さらに、紹介者は、第１の上段窓孔13、第２の上段窓孔25を通して被紹介者記入用空欄部35に被紹介者の住所、氏名を記入する。この記入された被紹介者記入用空欄部35は、第２の上段窓孔25、さらには第１の上段窓孔13を通して第１の葉書部１側より読み取ることができるようになっている。
【００３０】
そして、葉書を受取人払いで投函すると「Ａ市Ａ町株式会社Ｘ行」（提供者）へ郵送される。郵送された提供者は、紹介者記入用空欄部37に記載の紹介者より、被紹介者記入用空欄部35に記載された被紹介者へ紹介がなされたことを把握する。尚、提供者においては、第１の葉書部１の受取確認として固有識別部41の数字若しくは記号を紹介者名と連携させて記憶して把握、保存しておく。
【００３１】
株式会社Ｘ（提供者）においては、第１の葉書部１のみをはがして第２の葉書部２をあらわして料金別納或いは切手を貼って投函する。この際、被紹介者記入用空欄部35があらわれ宛先となり、発信者は株式会社Ｘ（提供者）となり、さらに紹介者記入用空欄部37が紹介者としてあらわれる。
【００３２】
この第２の葉書部２があらわれた葉書を受け取った被紹介者は、紹介者を介しての紹介であることを紹介者記入用空欄部37を見て把握することができる。
【００３３】
そして、紹介者は提供者によるカタログ、商品、サービス等の提供物の受取を希望する場合は、第２の葉書部２をはぎとって第３の葉書部３を受取人払いで投函する。この際、発信者は被紹介者となり、一方宛先は宛先表示部34の提供者となる。
【００３４】
したがって、株式会社Ｘ（提供者）では被紹介者がカタログ等の提供物の受取を了承して希望するので、被紹介者の個人情報を得てその者へカタログ等を発送する。尚、第３の葉書部３を受け取った株式会社Ｘ（提供者）においては、紹介者が第１、２の葉書部１，２を取り除いて、被紹介者を経ずしてカタログ等の提供者に返信するのを個有識別部41によりチェックする。
【００３５】
以上のように、前記実施例では、第１の葉書部１と、第２の葉書部２と、第３の葉書部３とを順次重ねるようにして一体的に設ける。そして第１の葉書部１の表面の第１の最上段８、第１の上段９、第１の下段10及び第１の最下段11のうち第１の最上段８にカタログ等の提供者の宛先表示部12を、第１の上段９に第１の上段窓孔13を、第１の最下段11に第1の最下段窓孔16を設ける。さらに、第２の葉書部２の表面の第２の最上段20、第２の上段21、第２の下段22及び第２の最下段23のうち前記第２の上段21に第２の上段窓孔25を、前記第２の下段22に前記提供者の発信元表示部26を、前記第２の最下段23に第２の最下段窓孔27を設ける。また、前記第３の葉書部３の表面の第３の最上段30、第３の上段31、第３の下段32及び第３の最下段33のうち第３の最上段30に提供者の宛先表示部34を、第３の上段31に被紹介者記入用空欄部35を設け、第３の最下段33に紹介者記入用空欄部37を設け、前記被紹介者用記入欄35に対向して前記第２の上段窓孔25及び前記第１の上段窓孔13を設け、前記紹介者用記入欄37に対向して前記第２の最下段窓孔27及び前記第１の最下段窓孔16を設けたことにより、紹介者が一度葉書の被紹介者記入用空欄部35、紹介者記入用空欄部37に書き込むと、第１の葉書部１が表紙になった紹介者から提供者への葉書、第２の葉書部２が表紙になった提供者から被紹介者への葉書、さらには第３の葉書部３が表紙になった被紹介者提供者から提供者への葉書において、途中に宛先などを書き込まなくとも表紙をはいでそのまま投函することで被紹介者の了承を得てのカタログなどの発送を行うことができる。このようなやり取りの途中に、葉書は一度提供者へ郵送されるので、紹介者から被紹介者へ郵送される葉書の総数や期間等を把握することができると共に、紹介者の郵送料負担を回避でき、カタログ等提供者には紹介者からの返信の段階では、被紹介者の個人情報は通過するだけで残らないので、最終的にカタログ等の送付を了承した被紹介者のみ個人情報管理を行えばよいこととなる。
【実施例２】
【００３６】
図５、６は実施例２を示しており、前記実施例１と同一部分には同一符号を付し、その詳細な説明を省略する。実施例２においては、第３の上段31及び第３の最下段33にそれぞれ第３の上段窓孔51及び第３の最下段窓孔52を設け、これらを裏面から塞ぐように別体の被紹介者記入用空欄部としての被紹介者記入用空欄シート部35Ａ、紹介者記入用空欄部としての紹介者記入用空欄シート部37Ａを貼りつけたものである。尚、実施例では被紹介者記入用空欄シート部35Ａ、紹介者記入用空欄シート部37Ａを別々のものとしたが、１枚のシートによってシート部35Ａ，37Ａを設けてもよいし、第３の葉書部３の裏面を全面的に覆ってもよい。
【００３７】
このように、することにより第１〜３の葉書部１，２，３を重ねた状態で、第１の上段窓孔13、第２の上段窓孔25、さらに第３の上段窓孔51を一体的に打ち抜きすることで、これらを正確に一致させた配置とすることができる。同様に第1の最下段窓孔16、第２の最下段窓孔27、第３の最下段窓孔52を一体的に打ち抜いて形成するものである。
【実施例３】
【００３８】
図７は実施例３を示しており、第１の葉書部１と第２の葉書部２とを第１の擬似接着剤層４により一体的とし、さらに第２の葉書部２に対して第３の葉書部３を折りたたみ可能に一体的に設けたものである。
【実施例４】
【００３９】
図８は実施例４を示しており、第２の葉書部２と第３の葉書部３とを第２の擬似接着剤層５により一体的とし、さらに第２の葉書部２に対して第１の葉書部１を折りたたみ可能に一体的に設けたものである。
【実施例５】
【００４０】
図９は実施例４を示しており、第１の葉書部１と第２の葉書部２と第３の葉書部３とを一連の用紙で形成すると共に，これらを折り目61を介して折り畳み１枚状に形成したものである。
【実施例６】
【００４１】
図１０〜図１１は実施例６を示しており、前記実施例１と同一部分には同一符号を付しその詳細な説明を省略する。
【００４２】
前記第１の葉書部１の表面の上端には、「（料金）受取人払」をあらわした第１の切手貼り対応部６と「郵便はがき」とあらわされた第１の郵便葉書表示部７を設けている。尚、第１の切手貼り対応部６には「受取人払」の郵便契約の表示がなされ、その負担が差し出し人（発信者）でなく、カタログ、商品、サービス等の提供者になるように表示されている。
【００４３】
第１の葉書部１の表面の上端から下方にかけて第１の最上段８、第１の上段９によって上部が形成される。第１の下段10及び第１の最下段11によって下部が形成される。第１の下段10には長方形の第１の窓孔13Ａを形成すると共に、その周囲に「被紹介者」とあらわした被紹介者表示部14を設けている。尚、上部とはカタログ等の提供者の宛先、会社名「Ａ市Ａ町株式会社Ｘ行」（提供者）をあらわした宛先表示部12がある箇所をいい、下部とは宛先表示部12に対して下部位置にあることをいう。
【００４４】
第１の最下段11には、「上記の方（被紹介者）をご紹介します。ご本人（被紹介者）の了承のもとに株式会社Ｘのカタログをお送り下さい。」とあらわしたカタログ、商品或いはサービスなどの提供依頼表示部15を設けている。
【００４５】
前記第２の葉書部２の表面の上端から下方にかけて第２の最上段20、第２の上段21によって上部を形成し、第２の下段22及び第２の最下段23によって下部を形成している。第２の下段22には長方形の第２の窓孔25Ａを形成している。第２の最下段23には、「裏面の方のご紹介でお送りしました。（発信者）Ａ市Ａ町株式会社Ｘ」とあらわした前記提供者の発信元表示部26を設けている。
【００４６】
前記第３の葉書部３の表面の上端から下方にかけて第３の最上段30、第３の上段31により上部を形成し、第３の下段32及び第３の最下段33により下部を形成している。第３の下段32には長方形をなした被紹介者の住所、氏名を書き込み可能な被紹介者記入用空欄部35Ａを設けている。この被紹介者記入用空欄部35Ａの周囲には「（発信者）」の表示部を有する。第３の最下段33には、「私は裏面の紹介者の紹介を了承し、株式会社Ｘのカタログの受領を希望します。」との被紹介者の了承表示部36を設けている。
【００４７】
そして、被紹介者記入用空欄部35Ａに対向して第２の葉書部２の第２の窓孔25Ａ、さらに第１の葉書部１の第１の窓孔13Ａが対向して配置されている。このため被紹介者記入用空欄部35Ａは、第２の窓孔25Ａ、さらには第１の窓孔13Ａを通して第１の葉書部１表面側より読み取ることができるようになっている。
【００４８】
また、前記第３の葉書部３の裏面には、長方形の紹介者の住所、氏名を書き込み可能な紹介者記入用空欄部37Ａを設けている。この紹介者記入用空欄部37Ａの周囲には「紹介者」の表示部を有する。
【００４９】
さらに、被紹介者記入用空欄部35Ａまたは紹介者記入用空欄部37Ａには、番号若しくは記号等の第３の葉書部３に対応した固有識別部41を設ける。この固有識別部41は実施例では被紹介者記入用空欄部35Ａに設けられている。この固有識別部41は第３の葉書部３の個有識別を行うのみならず、第３の葉書部３と一体的な第１の葉書部１、第２の葉書部２にも対応している。
【００５０】
次に前記構成についてその作用を説明する。第１、２、３の葉書部１、２，３を一体とした葉書を受け取った紹介者は、住所、氏名を紹介者記入用空欄部37Ａに記入する。さらに、紹介者は、第１の窓孔13Ａ、第２の窓孔25Ａを通して被紹介者記入用空欄部35Ａに被紹介者の住所、氏名を記入する。この記入された被紹介者記入用空欄部35Ａは、第２の窓孔25Ａ、さらには第１の窓孔13Ａを通して第１の葉書部１側より読み取ることができるようになっている。
【００５１】
そして、葉書を受取人払いで投函すると「Ａ市Ａ町株式会社Ｘ行」（提供者）へ郵送される。郵送された提供者は、紹介者記入用空欄部37Ａに記載の紹介者より、被紹介者記入用空欄部35Ａに記載された被紹介者へ紹介がなされたことを把握する。尚、提供者においては、第１の葉書部１の受取確認として固有識別部41の数字若しくは記号を紹介者名と連携させて記憶して把握、保存しておく。
【００５２】
株式会社Ｘ（提供者）においては、第１の葉書部１のみをはがして第２の葉書部２をあらわして料金別納或いは切手を貼って投函する。この際、被紹介者記入用空欄部35Ａがあらわれ宛先となり、発信者は株式会社Ｘ（提供者）となり、さらに紹介者記入用空欄部37Ａが紹介者としてあらわれる。
【００５３】
この第２の葉書部２があらわれた葉書を受け取った被紹介者は、紹介者を介しての紹介であることを紹介者記入用空欄部37Ａを見て把握することができる。
【００５４】
そして、紹介者は提供者によるカタログ、商品、サービス等の提供物の受取を希望する場合は、第２の葉書部２をはぎとって第３の葉書部３を受取人払いで投函する。この際、発信者は被紹介者となり、一方宛先は宛先表示部34の提供者となる。
【００５５】
したがって、株式会社Ｘ（提供者）では被紹介者がカタログ等の提供物の受取を了承して希望するので、被紹介者の個人情報を得てその者へカタログ等を発送する。尚、第３の葉書部３を受け取った株式会社Ｘ（提供者）においては、紹介者が第１、２の葉書部１，２を取り除いて、被紹介者を経ずしてカタログ等の提供者に返信するのを個有識別部41によりチェックする。
【００５６】
以上のように、前記実施例では、第１の葉書部１と、第２の葉書部２と、第３の葉書部３とを順次重ねるようにして一体的に設ける。そして第１の葉書部１の表面の上部にカタログ等の提供者の宛先表示部12を、下部に第１の窓孔13Ａを設け、さらに、第２の葉書部２の表面の下部に第２の窓孔25Ａを設ける。また、前記第３の葉書部３の表面の上部に提供者の宛先表示部34を、下部に被紹介者記入用空欄部35Ａを設け、さらに裏面に紹介者記入用空欄部37Ａを設け、
前記被紹介者用記入欄35Ａに対向して前記第２の窓孔25Ａ及び前記第１の窓孔13Ａを設けたことにより、紹介者が一度葉書の被紹介者記入用空欄部35Ａ、紹介者記入用空欄部37Ａに書き込むと、第１の葉書部１が表紙になった紹介者から提供者への葉書、第２の葉書部２が表紙になった提供者から被紹介者への葉書、さらには第３の葉書部３が表紙になった被紹介者から提供者への葉書において、途中に宛先などを書き込まなくとも表紙をはいでそのまま投函することで被紹介者の了承を得てのカタログなどの発送を行うことができる。このようなやり取りの途中に、葉書は一度提供者へ郵送されるので、紹介者から被紹介者へ郵送される葉書の総数や期間等を把握することができると共に、紹介者の郵送料負担を回避でき、カタログ等提供者には紹介者からの返信の段階では、被紹介者の個人情報は通過するだけで残らないので、最終的にカタログ等の送付を了承した被紹介者のみ個人情報管理を行えばよいこととなる。
【実施例７】
【００５７】
図１２は実施例７を示しており、原紙を渦巻き状に３つ折りしてそれらを擬似接着剤層４により一体的とした後に、その３つ折りした両縁のやや内側を一点鎖線で示すように切断して第１の葉書部１と第２の葉書部２と第３の葉書部３を一体的に設けたものである。
【００５８】
このように原紙を３つ折りしたものの両縁のやや内側を切断して切り落とすことによって第１の葉書部１と第２の葉書部２と第３の葉書部３を簡単に一体的に製造することができる。
【産業上の利用可能性】
【００５９】
以上のように本発明にかかる葉書は各種の用途に適用できる。尚、実施例における各種表示部は実施例のものに限定されず、表示内容に沿う表現内容であればよい。さらに、前記被紹介者記入用空欄部または前記紹介者記入用空欄部にかえて第３の葉書部の裏面に、番号若しくは記号等の固有識別部を設けてもよい。
【図面の簡単な説明】
【００６０】
【図１】本発明の実施例１を示す分解正面図である。
【図２】本発明の実施例１を示す使用状態を示す分解正面図である。
【図３】本発明の実施例１を示す分解背面図である。
【図４】本発明の実施例１を示す縦断面図である。
【図５】本発明の実施例２を示す分解正面図である。
【図６】本発明の実施例２を示す縦断面図である。
【図７】本発明の実施例３を示す平面図である。
【図８】本発明の実施例４を示す平面図である。
【図９】本発明の実施例５を示す平面図である。
【図１０】本発明の実施例６を示す分解平面図である。
【図１１】本発明の実施例６を示す分解平面図である。
【図１２】本発明の実施例７を示す平面図である。
【符号の説明】
【００６１】
１  第１の葉書部
２  第２の葉書部
３  第３の葉書部
４  ５  擬似接着剤層
８  第１の最上段
９  第１の上段
10  第１の下段
11  第１の最下段
12  宛先表示部
13  第１の上段窓孔
16  第1の最下段窓孔
20  第２の最上段
21  第２の上段
22  第２の下段
23  第２の最下段
25  第２の上段窓孔
26  発信元表示部
27  第２の最下段窓孔
30  第３の最上段
31  第３の上段
32  第３の下段
33  第３の最下段
34  宛先表示部
35  被紹介者記入用空欄部
37  紹介者記入用空欄部
41  固有識別部
【図１】
2007001152.tif 000003
【図２】
2007001152.tif 000004
【図３】
2007001152.tif 000005
【図４】
2007001152.tif 000006
【図５】
2007001152.tif 000007
【図６】
2007001152.tif 000008
【図７】
2007001152.tif 000009
【図８】
2007001152.tif 000010
【図９】
2007001152.tif 000011
【図１０】
2007001152.tif 000012
【図１１】
2007001152.tif 000013
【図１２】
2007001152.tif 000014